(57)【要約】    【課題】同じスケジュール内容の登録を簡単且つ容易にできるようにする。    【解決手段】シート形状を備えた電子カレンダ装置１０は、スケジュール表示部を日付毎に備えたカレンダ及び背景画像を表示する電子ペーパーパネル１２と、表示パネルに加圧入力パネルを積層した表示兼登録操作部２２を備える。カード選択スケジュール登録部は、リーダライタ３４により分離配置されたカード３６から読み取った識別子に対応するスケジュールをデータベースから取得し、表示兼登録操作部２２から入力された登録日及び時間と共にスケジュール情報としてデータベースに登録する。ケジュール管理部は、データベースに登録されたスケジュール情報を、電子ペーパーパネル１２に表示しているカレンダの登録日対応のスケジュール表示部１８に表示して管理する。    【選択図】      図１
2008269211.tif 000002
【特許請求の範囲】
【請求項１】
シート形状を備えた電子カレンダ装置に於いて、
スケジュール表示部を日付毎に備えたカレンダを表示する電子ペーパーパネルと、
表示パネルに加圧入力パネルを積層した表示兼登録操作部と、
リーダライタにより分離配置されたカードから読み取った識別子に対応するスケジュールをデータベースから取得し、前記表示兼登録操作部から入力された登録日及び時間と共にスケジュール情報として前記データベースに登録するカード選択スケジュール登録部と、
前記データベースに登録されたスケジュール情報を、前記電子ペーパーパネルに表示している前記カレンダの登録日対応のスケジュール表示部に表示して管理するスケジュール管理部と、
を備えたことを特徴とする電子カレンダ装置。
【請求項２】
請求項１記載の電子カレンダ装置に於いて、前記リーダライタはスケジュール内容に対応して準備されたカードに搭載されているＲＦタグのタグＩＤを非接触通信により前記識別子として読出して前記データベースからスケジュールを取得することを特徴とする電子カレンダ装置。
【請求項３】
請求項１記載の電子カレンダ装置に於いて、更に、
前記表示兼登録操作部を用いて、手書き入力されたスケジュールを、入力された登録日と共にスケジュール情報としてデータベースに登録する手書きスケジュール登録部と、
前記表示兼登録操作部に表示されたメニューの中から選択されたスケジュールを、入力された登録日及び時間と共にスケジュール情報として前記データベースに登録するメニュー選択スケジュール登録部と、
を設けたことを特徴とする電子カレンダ装置。
【請求項４】
請求項１記載の電子カレンダ装置に於いて、前記スケジュール管理部は、日付変更を判定した際に、変更日のスケジュール情報を前記データベースから検索して前記表示兼登録操作部に表示することを特徴とする電子カレンダ装置。
【請求項５】
請求項１記載の電子カレンダ装置に於いて、更に、指定されたスケジュール情報を前記データベースから読出して前記表示兼登録操作部に表示するスケジュール確認部を設けたことを特徴とする電子カレンダ装置。
【請求項６】
請求項５記載の電子カレンダ装置に於いて、前記スケジュール確認部は、前記表示兼登録操作部に表示されたカレンダの指定日に対応したスケジュール情報を前記データベースから読出して表示することを特徴とする電子カレンダ装置。
【請求項７】
請求項５記載の電子カレンダ装置に於いて、前記スケジュール確認部は、リーダライタにより分離配置されたカードから読み取った識別子に対応するスケジュール情報をデータベースから読出して表示することを特徴とする電子カレンダ装置。
【発明の詳細な説明】
【技術分野】
【０００１】
本発明は、電子ペーパーを用いてカレンダ上にスケジュールを表示して管理する電子カレンダ装置に関する。
【背景技術】
【０００２】
従来、壁掛紙カレンダを電子化した電子式カレンダが知られている（特許文献１）。この電子式カレンダは、表示部に年カレンダ、月カレンダ及び日付カレンダのいずれかを選択を表示し、年カレンダと月カレンダについては、現在日を枠付けなどで識別表示している。更に、手書き入力部が設けられ、手書き入力した文字を例えばメモ領域に月単位のメモとして表示できるようにしている。
【０００３】
また壁掛カレンダではないが、電子手帳などの入力装置として、カレンダ形式の予定表に、日付に関連したスケジュールを手書き入力するものも知られている（特許文献２）。
【特許文献１】特開平５−１８１８０６号公報
【特許文献２】特開平８−３３５２１０号公報
【発明の開示】
【発明が解決しようとする課題】
【０００４】
しかしながら、このような従来の電子式カレンダにあっては、手書き入力により登録したスケジュール内容が、カレンダ日付とは無関係にメモ領域に表示されるため、スケジュールと日付との関連がわかりづらく、年、月、週全体のスケジュールを把握できない問題がある。
【０００５】
またスケジュールの登録が手書き又はスイッチ操作による登録しかなく、異なる登録日について、例えば会議や外出といった同じスケジュール内容を登録する場合、その都度、手書き入力やスイッチ操作による登録を繰り返し行わなければならず、入力操作に手間と時間がかる問題もある。
【０００６】
本発明は、同じスケジュール内容の登録を簡単且つ容易にできるようにした壁掛型の電子カレンダ装置を提供することを目的とする。
【課題を解決するための手段】
【０００７】
本発明は、シート形状を備えた電子カレンダ装置に於いて、
スケジュール表示部を日付毎に備えたカレンダ及び背景画像を表示する電子ペーパーパネルと、
表示パネルに加圧入力パネルを積層した表示兼登録操作部と、
リーダライタにより分離配置されたカードから読み取った識別子に対応するスケジュールをデータベースから取得し、表示兼登録操作部から入力された登録日及び時間と共にスケジュール情報としてデータベースに登録するカード選択スケジュール登録部と、
データベースに登録されたスケジュール情報を、電子ペーパーパネルに表示しているカレンダの登録日対応のスケジュール表示部に表示して管理するスケジュール管理部と、
を備えたことを特徴とする。
【０００８】
ここで、リーダライタはスケジュール内容に対応して準備されたカードに搭載されているＲＦタグのタグＩＤを非接触通信により識別子として読出してデータベースからスケジュールを取得する。
【０００９】
本発明の電子カレンダ装置は、更に、
表示兼登録操作部を用いて、手書き入力されたスケジュールを、入力された登録日と共にスケジュール情報としてデータベースに登録する手書きスケジュール登録部と、
表示兼登録操作部に表示されたメニューの中から選択されたスケジュールを、入力された登録日及び時間と共にスケジュール情報として前記データベースに登録するメニュー選択スケジュール登録部と、
を設けたことを特徴とする。
【００１０】
スケジュール管理部は、日付変更を判定した際に、変更日のスケジュール情報をデータベースから検索して表示兼登録操作部に表示する。
【００１１】
本発明の電子カレンダ装置は、更に、データベースから指定されたスケジュール情報を読出して表示兼登録操作部に表示するスケジュール確認部を設けたことを特徴とする。
【００１２】
スケジュール確認部は、表示兼登録操作部に表示されたカレンダの指定日に対応したスケジュール情報をデータベースから読出して表示する。
【００１３】
スケジュール確認部は、リーダライタにより分離配置されたカードから読み取った識別子に対応するスケジュール情報をデータベースから読出して表示する。
【発明の効果】
【００１４】
本発明によれば、登録されたスケジュール内容を電子ペーパーパネルのカレンダの日付対応のスケジュール表示部に表示することで、スケジュールと日付との対応関係を明確に認識できる。
【００１５】
また同じスケジュール内容を登録する場合、スケジュール内容毎に準備されたカードをリーダライタにかざすと、カードの識別子であるタグＩＤが読み出され、タグＩＤによるデータベースの検索でスケジュール内容が自動取得されて登録でき、手書き登録やメニュー選択といった操作を必要としないため、頻繁に登録するスケジュール内容の登録を簡単且つ容易に行うことができる。
【発明を実施するための最良の形態】
【００１６】
図１は本発明による電子カレンダ装置の実施形態を示した説明図である。図１において、本実施形態の電子カレンダ装置１０は、壁掛紙カレンダと同等の縦横サイズ及び厚さを持ち、ある程度折り曲げ可能なシート形状をもつことで、壁などに掛けて使用することができる。
【００１７】
本実施形態の電子カレンダ装置１０は、下部の処理ユニット１１と上部の電子ペーパーパネル１２で構成される。電子ペーパーパネル１２は、紙の持つ長所である視認性と携帯性を備えた表示媒体であり、表示内容を電気的に書き替えることができ、更に、ある程度折り曲げが可能であり、バックライトを必要とせず、液晶パネルなどの他のディスプレイに対し消費電力が少なく、一度書き替えると、電力を切断しても表示内容を維持できるメモリ性を備えている。
【００１８】
このような電子ペーパーパネル１２としては、コレスティック液晶を用いたものや、マイクロカプセルに白と黒の微粒子を封入して電気的に移動させるいわゆる電子インクを用いたものなど、各種の電子ペーパーパネルが使用できる。
【００１９】
本実施形態にあっては、電子ペーパーパネル１２にカレンダ表示領域１４を設け、ここに例えば月単位のカレンダとして１ヶ月分の日付表示部１６と、各日付表示部に対応してスケジュールを表示するためのスケジュール表示部１８を表示している。
【００２０】
カレンダ表示領域１４の上部には画像表示領域２０が設けられ、画像表示領域２０に例えばカレンダの背景画像などを表示している。更に画像表示領域２０の上部には、カレンダ表示領域１４の年月表示２１を表示している。
【００２１】
電子ペーパーパネル１２におけるカレンダ及び画像などの表示は一例であり、必要に応じて表示位置を適宜に変えたり、表示形態を適宜に変えることができる。また本実施形態にあってはカレンダ表示領域１４を月単位の表示としているが、必要に応じて週単位に表示したり、年単位に表示を切り替えることも可能である。
【００２２】
電子カレンダ装置１０の下部の処理ユニット１１には、電子ペーパーパネル１２のカレンダ及び画像の表示を含めて本実施形態のスケジュール管理に必要な表示部及び操作部、更には、これらを制御するためのＣＰＵ、ＲＡＭ、ＲＯＭ、入出力インタフェース等のハードウェアを備えたコンピュータが内蔵されている。
【００２３】
本実施形態の処理ユニット１１には表示兼登録操作部２２が設けられる。表示兼登録操作部２２は、液晶表示パネルの上に透明な加圧式タブレットを重ね合わせた構造であり、本実施形態におけるスケジュール管理、スケジュール登録及びスケジュール確認を含む処理のための表示機能と入力機能を果たす。
【００２４】
本実施形態においては、スケジュール登録として次の３つの登録処理が可能である。
（１）手書きスケジュール登録
（２）メニュー選択スケジュール登録
（３）カード選択スケジュール登録
【００２５】
したがって、これらの３種類のスケジュール登録につき、必要なガイダンス、メニュー及び操作ボタンを表示兼登録操作部２２に表示し、表示されたメニューや操作ボタンに対し棒状の入力器具で画面のメニューボタンに触れることで表示内容を選択することができる。また表示兼登録操作部２２は手書きスケジュール登録の際には、棒状の入力器具を使用してスケジュール内容を手書き入力する機能を果たす。
【００２６】
表示兼登録操作部２２の右側にはスイッチ操作部２４が設けられる。スイッチ操作部２４には電源スイッチ２６、上選択スイッチ２８、下選択スイッチ３０及び決定スイッチ３２が設けられている。操作部２４の各スイッチは、表示兼登録操作部２２を使う必要のない簡単なメニューの選択や決定を行うために設けている。
【００２７】
操作部２４の右側には点線で示すようにリーダライタ３４が設けられている。リーダライタ３４に対し、本実施形態にあっては別にカード３６を準備しており、カード３６にはＲＦタグ３８が埋め込まれている。
【００２８】
リーダライタ３４とカード３６は、本実施形態におけるカード選択スケジュール登録と、スケジュール登録後のスケジュール確認に使用する。例えばカード選択スケジュール登録の処理にあっては、表示兼登録操作部２２のメニュー画面でカード選択スケジュール登録を選択すると、リーダライタ３４が起動してＲＦタグ３８に対し電源を供給するための電波送信状態となる。
【００２９】
この状態でカード３６をリーダライタ３４の部分にかざすと、ＲＦタグ３８がリーダライタ３４からの送信電波を受信して電源がオンとなり、続いてリーダライタ３４からのリードコマンドに対しＲＦタグ３８が予め設定しているタグＩＤを送信し、このタグＩＤをリーダライタ３４で取得して、データベースから対応するスケジュール項目を読み出して登録対象に設定できる。
【００３０】
また表示兼登録操作部２２でスケジュール確認のメニューを選択した場合には、カード３６をかざすことで、リーダライタ３４がＲＦタグ３８のタグＩＤを取得し、タグＩＤによるデータベースの検索で、これに対応した登録済みスケジュールを読み出して表示兼登録操作部２２に表示することができる。
【００３１】
リーダライタ３４の下側には外部インタフェース３５と移報入力部３７が設けられている。外部インタフェース３５は、電子カレンダ装置１０の画像表示領域２０に表示する画像データやスケジュール管理に必要な各種のデータを外部機器から入力することができる。
【００３２】
また外部機器に対し、データベースに登録しているスケジュール情報を転送して利用させることができる。更に外部インタフェース３５を介してプリンタを接続した場合には、データベースに登録しているスケジュールを印刷出力することも可能である。
【００３３】
移報入力部３７は、接点入力などで外部機器からの移報信号を取り込んで、移報信号に対応した処理を行うことができる。例えば、住宅用警報器からの火災発報に伴う移報信号を取り込むようにした場合は、火災発報の移報信号を検出した際に、例えば画像表示領域２０の背景画像を消去して火災警報表示を行うことができる。
【００３４】
図２は本実施形態の装置構成を示したブロック図である。図２において、本実施形態の電子カレンダ装置１０には、ＣＰＵで実現される制御部４０が設けられる。制御部４０に対しては電子ペーパーパネル１２が接続され、電子ペーパーパネル１２はカレンダ表示領域１４と画像表示領域２０を備えている。
【００３５】
また制御部４０に対してはイベント表示部２２−１と手書き入力部２２−２が設けられる。イベント表示部２２−１は液晶表示パネルが使用されており、手書き入力部２２−２は透明な加圧式タブレットであり、イベント表示部２２−１となる液晶表示パネルの上に手書き入力部２２−２となる透明な加圧式タブレットを重ね合わせた構造とすることで、表示兼登録操作部２２を構成している。
【００３６】
また制御部４０に対しては操作部２４が設けられ、操作部２４には図１に示したように、電源スイッチ２６、上選択スイッチ２８、下選択スイッチ３０及び決定スイッチ３２が設けられている。
【００３７】
また制御部４０に対してはリーダライタ３４が設けられ、別途設けられた外部のカード３６に埋め込まれたＲＦタグ３８との間で小電力による無線通信を行う。
【００３８】
図３は図２の実施形態におけるリーダライタ３４及びＲＦタグ３８の実施形態を示したブロック図である。図３において、電子カレンダ装置１０のリーダライタ３４には、制御部６４、送信部６５、受信部６６及びアンテナ６８が設けられている。一方、カード３６側のＲＦタグ３８には、制御部７０、送信部７２、受信部７４、電源部７６、アンテナ７８及びメモリ８０が設けられ、メモリ８０には固有のタグＩＤが記憶されている。
【００３９】
電子カレンダ装置１０に設けているリーダライタ３４を起動すると、制御部６４は送信部からＲＦタグ３８に電力を供給するための無信号の電波送信をアンテナ６８から行う。これによってリーダライタ３４のアンテナ６８を中心とした所定の範囲にＲＦタグ３８の通信可能エリアが形成される。
【００４０】
ＲＦタグ３８を埋め込んだカード３６を図１の電子カレンダ装置１０に示したようにリーダライタ３４の埋込み位置の近くにかざすと、ＲＦタグ３８がリーダライタ３４の通信可能エリアに入り、アンテナ７８から受信した受信信号を電源部７６で整流し、これによって電源電力を取得して各回路部を動作状態とする。
【００４１】
続いてリーダライタ３４は、制御部６４からのリードコマンドを送信部６５で変調してアンテナ６８から送信し、このリードコマンドをＲＦタグ３８側で受信解読して制御部７０に与えることで、制御部７０はメモリ８０から記憶しているタグＩＤを読み出し、送信部７２よりリード応答としてリーダライタ３４に返送する。
【００４２】
リーダライタ３４はＲＦタグ３８から応答送信されたリードデータであるタグＩＤを受信解読し、制御部６４から図２の制御部４０に出力して、カード３６のタグＩＤに基づくカード選択スケジュール登録あるいはスケジュール確認処理を実行することになる。
【００４３】
再び図２を参照するに、制御部４０に対しては外部インタフェース３５と移報入力部３７が設けられ、外部機器に対する入出力及び外部機器からの移報入力に基づく処理を行えるようにしている。
【００４４】
また制御部４０に対するデータベースとして、本実施形態にあっては、管理用データベース４２、カレンダデータベース４４、カード入力データベース４６及びスケジュールデータベース５０を接続している。これらのデータベースは制御部４０を構成するＣＰＵのバスに接続したＲＡＭなどのメモリを使用して実現される機能である。
【００４５】
管理用データベース４２には、図１の画像表示領域２０に背景画像として表示する画像データ、図１の表示兼登録操作部２２を使用してスケジュール管理、スケジュール登録、スケジュール確認に使用するメニュー画面を表示するためのメニューデータなどが記憶されている。
【００４６】
カレンダデータベース４４には、図１のカレンダ表示領域１４に表示する例えば月単位のカレンダ表示データが所定年数分、格納されている。
【００４７】
カード入力データベース４６には、リーダライタ３４によるカード３６のＲＦタグ３８のタグＩＤ読取りで行うカード選択スケジュール登録や、カード選択スケジュール確認に使用する画面表示のためのデータが格納されている。
【００４８】
図４は図２のカード入力データベース４６の一例を示した説明図である。図４において、カード入力データベース４６にはタグＩＤに対応してスケジュール項目が登録されている。スケジュール項目としては例えば、外出、パーティ、結婚式、サークル、会議、町内会など、本実施形態のスケジュール管理で必要とされる予め定めたスケジュール項目を登録している。
【００４９】
カード入力データベース４６のタグＩＤに対応したスケジュール項目は、カード３６の一枚につき１つのタグＩＤと１つのスケジュール項目を組み合わせて登録している。したがって、図４の場合のタグＩＤ＝００１〜００１２の登録に対しては１２枚のカード３６が準備されており、それぞれのカードにはそれぞれのタグＩＤを記憶したＲＦタグ３８が埋め込まれており、またカード３６上にはタグＩＤに対応したスケジュール項目、例えば図１の実施形態のカード３６にあってはスケジュール項目「外出」が表示されている。
【００５０】
したがって、本実施形態にあっては、カード入力データベース４６に対応して準備された１２枚のカードの中から必要なスケジュール項目のカードを選択してリーダライタ３４にかざすことで、カード選択スケジュール登録やカード選択スケジュール確認を、表示兼登録操作部２２に対する入力操作を行うことなく簡単にできる。
【００５１】
再び図２を参照するに、制御部４０に対し接続されたスケジュールデータベース５０には、手書きスケジュール登録、メニュー選択スケジュール登録またはカード選択スケジュール登録の処理により生成されたスケジュール情報が登録されて管理される。
【００５２】
図５は図２のスケジュールデータベース５０を示した説明図である。図５において、スケジュールデータベース５０には、ＩＤ、開始年月日、終了年月日、種別、スケジュール項目が設けられている。ＩＤはスケジュールデータベース５０のレコードインデックスである。
【００５３】
開始年月日はスケジュール登録日であり、実際には年月日、時、分まで含まれる。終了年月日は期間設定を必要とするスケジュールに対応した項目であり、同様に年月日、時、分までが登録されている。
【００５４】
種別はスケジュール登録処理が手書きか、メニュー選択か、カード選択かを示している。スケジュール項目は、手書き、メニュー選択、又はカード選択で入力したスケジュール内容である。
【００５５】
再び図２を参照するに、制御部４０にはＣＰＵによるプログラム実行により実現される機能として、手書きスケジュール登録部５２、メニュー選択スケジュール登録部５４、カード選択スケジュール登録部５６、スケジュール管理部６０及びスケジュール確認部６２が設けられている。
【００５６】
手書きスケジュール登録部５２、メニュー選択スケジュール登録部５４及びカード選択スケジュール登録部５６は、本実施形態が提供している
（１）手書きスケジュール登録
（２）メニュー選択スケジュール登録
（３）カード選択スケジュール登録
という３つのスケジュール登録機能のそれぞれを提供する。
【００５７】
手書きスケジュール登録部５２は、図１の表示兼登録操作部２２に棒状の入力器具を用いて手書きにより入力したスケジュールを、同じく表示兼登録操作部２２のカレンダ表示などを利用して入力した登録日と共に、スケジュール情報としてスケジュールデータベース５０に登録する。
【００５８】
メニュー選択スケジュール登録部５４は、表示兼登録操作部２２に表示されたメニューから選択されたスケジュールを、同じく表示兼登録操作部２２のカレンダ表示などを利用して入力された登録日及び時間と共にスケジュール情報としてスケジュールデータベース５０に登録する。
【００５９】
更にカード選択スケジュール登録部５６は、リーダライタ３４にユーザが選択したスケジュール項目を表示したカード３６をかざすことで、カード３６に埋め込まれたＲＦタグ３８から読み取った識別子であるタグＩＤに対応するスケジュール項目を取得し、同じく表示兼登録操作部２２からカレンダ表示を利用して入力された登録日及び時間と共に、スケジュール情報としてスケジュールデータベース５０に登録する。
【００６０】
図２の制御部４０に設けたスケジュール管理部６０は、スケジュールデータベース５０に登録されたスケジュール情報を、図１の電子カレンダ装置１０に示すように、カレンダ表示領域１４に表示しているカレンダの登録日対応のスケジュール表示部、例えば日付表示部に表示して管理する。
【００６１】
例えば、図１のカレンダ表示領域１４の日付「１３」、「２４」、「３０」のそれぞれのスケジュール表示部には、スケジュールデータベース５０に登録されたスケジュール情報に基づき、スケジュール項目である「サークル」、「クリスマス」、「来客」が表示される。この場合のスケジュール項目は、全て手書きスケジュール登録による登録内容となっている。
【００６２】
またスケジュール管理部６０は、現在日に該当するスケジュール情報をスケジュールデータベース５０から読み出して表示兼登録操作部２２に表示する処理を行っており、これに伴い、内蔵した時計機能により現在日の日付変更を監視しており、日付変更を判定すると、変更日のスケジュール情報をスケジュールデータベース５０から読み出して表示兼登録操作部２２に表示するスケジュール更新表示を行っている。
【００６３】
更にスケジュール管理部６０は、時計機能を利用してカレンダ表示領域１４に対する月が変わったときのカレンダ表示の切替え、また外部インタフェース３５を使用した外部機器との間のスケジュール情報や画像情報を含む各種の入出力処理、更には移報入力部３７から接点入力などを受けた際の火災警報表示などを管理している。
【００６４】
図６は図１の電子カレンダ装置１０の実施形態における表示兼登録操作部２２を利用した通常時のスケジュールなし画面とスケジュール画面を示した説明図である。図６（Ａ）は現在日にスケジュールデータベース５０にスケジュール情報の登録のない場合のスケジュールなし画面８２であり、この場合には何も表示しない。なお、内蔵した時計機能を利用して現在時刻を表示したり、他の任意の情報表示を行っても良い。
【００６５】
図６（Ｂ）は現在日にスケジュールデータベース５０にスケジュール情報が登録されている場合のスケジュール画面８４であり、「本日の予定」として、スケジュール情報「１３：００  外出」を表示している。
【００６６】
スケジュール画面８４には、スケジュール情報が１つの場合についてはそれを表示するが、複数ある場合には複数表示し、表示し切れない場合はスクロールボタンなどを表示し、スクロール表示できるようにしている。
【００６７】
図７，図８は、本実施形態における手書きスケジュール登録における画面遷移を示した説明図である。図７（Ａ）はスケジュール登録の最初に表示されるメインメニュー画面８６であり、この場合には「１．予定を登録する。」を選択すると、図７（Ｂ）の登録メニュー画面８８に切り替わる。
【００６８】
登録メニュー画面８８で「１．手書きで登録します。」を選択すると、図７（Ｃ）の日付登録画面９０に切り替わる。日付登録画面９０は、その月のカレンダが表示され、カレンダ表示の中から登録日を選んで決定ボタン９２を操作すると、図８（Ｄ）の手書き登録画面９４に切り替わる。
【００６９】
手書き登録画面９４は手書きスケジュール入力枠９５が表示され、その中に棒状の入力器具を用いて必要なスケジュールを例えば「外出  １４：００」と記入し、記入後に登録完了ボタン９６を押すと、図８（Ｅ）の登録完了画面９８に遷移し、手書きスケジュール「外出  １４：００」が図２のスケジュールデータベース５０に登録され、一連の登録処理が完了する。
【００７０】
図９，図１０及び図１１は、本実施形態のメニュー選択スケジュール登録における画面遷移を示した説明図である。図９（Ａ）はメインメニュー画面８６であり、図７（Ａ）と同様「１．予定を登録する。」を選択すると、図９（Ｂ）の登録メニュー画面８８に切り替わる。
【００７１】
登録メニュー画面８８については「２．メニューから選びます」を選択すると、図９（Ｃ）のスケジュール選択画面１００に切り替わる。スケジュール選択画面１００にあっては、予め準備されたスケジュール項目がメニュー表示される。この場合には、例えばメニュー項目として「町内会」を選択する。
【００７２】
続いて図１０（Ｄ）の日付登録画面１０２に切り替わり、表示されたカレンダの中から登録日を選んで決定ボタン１０４を押すと、図１０（Ｅ）の時間登録画面１０６に切り替わる。なお図１０（Ｄ）の日付登録画面１０２には左下に、すでに選択したスケジュール項目１０５として「町内会」が表示されている。
【００７３】
図１０（Ｅ）の時間登録画面１０６にあっては、スケジュール項目「町内会」に対応して開始時間選択部１０８と終了時間選択部１０９が表示され、開始時間と終了時間を選択することができる。
【００７４】
ここで、時間登録画面１０６は、選択したスケジュール内容により予定時間帯（開示時刻と終了時刻）の選択画面と、予定時刻のみの選択画面を表示する。例えばスケジュール項目が「外出」の場合は、外出時刻の選択画面となる。
【００７５】
図１０（Ｅ）の時間登録画面１０６で開始時刻と終了時刻を選択したら、決定ボタン１１１を押すと図１０（Ｆ）の確認画面１１２に切り替わる。なお時間登録画面１０６については、すでに選択の済んだスケジュール項目１０５として「町内会」、また登録日１１０として「２００７年２月２８日」が表示されている。
【００７６】
図１０（Ｆ）の確認画面１１２にあっては、すでに登録したスケジュール情報１１４として登録日、時間、スケジュール項目が表示され、この内容を確認し、正しければ「はい」のボタン１１８を押すと、スケジュール情報がスケジュールデータベース５０に登録され、図１１（Ｇ）の登録完了画面１３６が表示されて、メニュー選択スケジュール登録が完了する。一方、確認画面１１２にあっては、間違っていた場合には「いいえ」のボタン１１６を押すと、図９（Ｂ）の登録メニュー画面８８に戻り最初からやり直すことができる。
【００７７】
図１２，図１３及び図１４は、本実施形態のカード選択スケジュール登録における画面遷移を示した説明図である。図１２（Ａ）はメインメニュー画面８６であり、図７（Ａ）と同様、「１．予定を登録する。」を選択すると、図１２（Ｂ）の登録メニュー画面８８に切り替わる。登録メニュー画面８８については「３．カードから選びます。」を選択すると、図１２（Ｃ）のカード登録画面１３８に切り替わり、［カードをかざして下さい］のガイダンスが表示される。
【００７８】
そこでユーザは、複数のカードの中から登録を必要とするスケジュール項目を持つ例えば図１に示した「外出」のカード３６をリーダライタ３４の部分にかざすと、リーダライタ３４によりカード３６のＲＦタグ３８に記憶しているタグＩＤが読み出され、例えばタグＩＤ＝００１であった場合には、図４のカード入力データベース４６を参照することでスケジュール項目として「外出」が取得され、図１３（Ｄ）のカード読取画面１４０に示すように、登録スケジュール１４１として「外出」が表示される。
【００７９】
続いて図１３（Ｅ）の日付登録画面１４２に切り替わり、表示されたカレンダの中から登録日を選択して決定ボタン１４４を押すと、図１３（Ｆ）の時間登録画面１４６に切り替わる。時間登録画面１４６はスケジュール項目「外出」に対応した時間選択部１４８が１つ表示され、例えば時間「１４：００」を選択して決定ボタン１５２を押すと、図１４（Ｇ）の確認画面１５４に切り替わる。
【００８０】
確認画面１５４にあっては、スケジュール情報１５６として登録日「２００７年２月２８日」、時間「１４：００」、スケジュール項目「外出」が表示され、これでよければ「はい」のボタン１６０を押すことで、図１４（Ｈ）の登録完了画面１６２に切り替わり、スケジュール情報がスケジュールデータベース５０に登録される。
【００８１】
この図１２〜図１４に示したカード選択スケジュール登録にあっては、カードをリーダライタ３４にかざすだけでスケジュール項目を登録することができ、手書き入力やメニュー選択に比べスケジュール項目の登録が容易であり、特に複数の登録日について同じスケジュール項目を繰り返し登録するような場合、カードをかざすだけでよいことから、スケジュール項目の登録をきわめて簡単に行うことができる。
【００８２】
図１５及び図１６は、本実施形態のカレンダから選択するスケジュール確認の画面遷移を示した説明図である。図１５（Ａ）はメインメニュー画面８６であり、「２．予定を確認する。」を選択する。
【００８３】
続いて図１５（Ｂ）の確認メニュー画面１６４に切り替わり、「１．カレンダからの選択」を選択する。続いて図１５（Ｃ）の確認日付画面１６６に切り替わることから、表示されたカレンダの中から確認する日を選択して決定ボタン１６８を選択すると、図１６（Ｄ）のスケジュール確認画面１７０に切り替わる。
【００８４】
例えば図１５（Ｃ）の日付確認画面１６６で「２００７年２月２８日」を選択したとすると、図１６（Ｄ）のスケジュール確認画面１７０で確認日に該当するスケジュール情報１７２−１，１７２−２がスケジュールデータベース５０から読み出されて表示される。
【００８５】
図１７，図１８は、本実施形態におけるカードから選択するスケジュール確認の画面遷移を示した説明図である。図１７（Ａ）はメインメニュー画面８６であり、図１５（Ａ）と同様、「２．予定を確認する。」を選択する。
【００８６】
続いて図１７（Ｂ）の確認メニュー画面１６４に切り替わることから、「２．カードから選択」を選択すると、図１７（Ｃ）のカード確認画面１８６に切り替わり、「カードをかざして下さい。」のガイダンスが表示される。
【００８７】
そこで利用者は、確認したいスケジュール項目である例えば「外出」を表示し図１に示したカード３６を選んでリーダライタ３４にかざすと、カード３６のＲＦタグ３８のタグＩＤが読み出され、このタグＩＤに対応するスケジュール項目がカード入力データベース４６の参照で取得される。
【００８８】
取得されたスケジュール項目が例えば「外出」であったとすると、スケジュール項目「外出」によりスケジュールデータベース５０が検索され、該当するスケジュール情報として、この場合には図１８のスケジュール確認画面１８８に「手書きスケジュール」１９０が表示され、これを確認することができる。
【００８９】
図１９は本実施形態における電子カレンダ装置の処理手順を示したフローチャートであり、図１及び図２を参照して説明すると次のようになる。図１９において、まずステップＳ１で現在日の日付変更を時計情報との比較により判定しており、日付変更を判定するとステップＳ２に進み、本日の予定の有無即ち日付変更した現在日により、スケジュールデータベース５０を参照して、登録されているスケジュール情報の有無を判別する。本日の予定があれば、ステップＳ３でスケジュールデータベース５０から読み出したスケジュールを表示兼登録操作部２２に表示する。
【００９０】
続いてステップＳ４で登録要求の有無をチェックしており、登録要求があると、ステップＳ５に進み、手書き登録か否かチェックし、手書き登録であれば、ステップＳ６の手書きスケジュール登録部５２による手書き登録処理を実行する。続いてステップＳ７でメニュー選択登録か否かチェックしており、メニュー選択登録であれば、ステップＳ８に進み、メニュー選択スケジュール登録部５４によるメニュー選択登録処理を実行する。
【００９１】
またステップＳ９でカード登録を判別すると、ステップＳ１０に進み、カード選択スケジュール登録部５６によるカード登録処理を実行する。
【００９２】
続いてステップＳ１１でスケジュール確認か否かチェックし、スケジュール確認要求があれば、ステップＳ１２に進み、カレンダから選択か否かチェックし、カレンダから選択であれば、ステップＳ１３でカレンダ予定確認表示を実行する。またステップＳ１４でカードからの選択を判別すると、ステップＳ１５でカード登録のスケジュール確認表示を実行する。このようなステップＳ１〜Ｓ１５の処理を、ステップＳ１６で電源オフによる停止指示があるまで繰り返す。
【００９３】
図２０は図１９のステップＳ６における手書き登録処理の詳細を示したフローチャートである。図２１において、手書き登録処理は、ステップＳ１で登録日選択用のカレンダを表示し、ステップＳ２で登録日指定を判定すると、ステップＳ３で登録日を確定し、ステップＳ４で手書き入力画面を表示した後、ステップＳ５で手書き入力後の登録完了指示を判別すると、ステップＳ６で入力した手書きスケジュール情報をスケジュールデータベース５０に登録する。
【００９４】
図２１は図１９のステップＳ８におけるメニュー選択登録処理の詳細を示したフローチャートである。図２１において、メニュー選択登録処理は、ステップＳ１でスケジュール項目選択画面を表示し、ステップＳ２でスケジュール項目の選択があると、ステップＳ３でスケジュール項目を確定し、次にステップＳ４で登録日選択用のカレンダ画面を表示する。
【００９５】
ステップＳ５で登録日の決定があると、ステップＳ６で登録日を確定し、ステップＳ７で時間選択画面を表示する。ステップＳ８で時間決定があると、ステップＳ９で時間を確定し、ステップＳ１０で入力したスケジュール情報を確認表示する。ステップＳ１１で確認入力があれば、ステップＳ１２に進み、確認の済んだスケジュール情報をスケジュールデータベース５０に登録して、図１９のメインルーチンにリターンする。
【００９６】
図２２は図１９のステップＳ１０におけるカード選択登録処理の詳細を示したフローチャートである。図２２のカード選択登録処理にあっては、ステップＳ１でカード選択案内画面を表示した後、ステップＳ２でリーダライタ３４がカードリードコマンドを送信し、ステップＳ３でカード３６のＲＦタグ３８からリード応答があると、ステップＳ４でカードのタグＩＤを取得する。
【００９７】
続いてステップＳ５でタグＩＤによりカード入力データベース４６を検索してスケジュール項目を確定する。続いてステップＳ６で登録日選択用のカレンダ画面を表示して、ステップＳ７で登録日の決定を判別すると、ステップＳ８で登録日を確定する。
【００９８】
続いてステップＳ９で時間選択画面を表示し、ステップＳ１０で時間決定を判別すると、ステップＳ１１で時間を確定する。続いてステップＳ１２で入力したスケジュール情報を確認表示し、ステップＳ１３で確認入力を判別すると、ステップＳ１４に進み、確認の済んだスケジュール情報をスケジュールデータベース５０に登録し、図１９のメインルーチンにリターンする。ステップＳ１３で確認入力を判別しなかった場合にはステップＳ１に戻り、最初からカード選択登録をやり直すことになる。
【００９９】
なお上記の実施形態にあっては、カード３６のＲＦタグ３８にタグＩＤを記憶して、これをリーダライタ３４に読み出して、カード入力データベース４６の検索によりスケジュール項目を取得して登録する場合を例に取っているが、カード３６のＲＦタグ３８には、タグＩＤ以外に例えば電子カレンダ装置１０の表示兼登録操作部２２で入力した手書きスケジュールを登録しておき、これを読み出してスケジュール項目として登録することもできる。
【０１００】
またスケジュールデータベース５０に登録したスケジュール情報をスケジュール項目により選択して、対応するカードのＲＦタグ３８に登録しておくことで、カードをリーダライタ３４にかざすだけでカード側からスケジュール項目の該当するスケジュール情報を読み出して表示兼登録操作部２２に表示して確認することも可能である。
【０１０１】
また上記の実施形態にあっては、スケジュール登録として手書きスケジュール登録、メニュー選択スケジュール登録及びカード選択スケジュール登録の３つのスケジュール登録機能を設けた場合を例に取っているが、手書きスケジュール登録やメニュー選択スケジュール登録は持たず、カード選択スケジュール登録のみの電子カレンダ装置としてもよいことはもちろんである。
【０１０２】
また上記の実施形態は壁掛け構造を対象とした電子カレンダ装置１０を例に取るものであったが、写真立てのような構造とすることで卓上用として使用できる構成としてもよいことはもちろんである。また電子カレンダ装置１０の縦横サイズは縦長にした場合を例に取っているが、処理ユニット１１と電子ペーパーパネル１２を横に並べた横長サイズとしてもよいことはもちろんである。
【０１０３】
また本発明はその目的と利点を損なうことのない適宜の変形を含み、更に上記の実施形態に示した数値による限定は受けない。
【図面の簡単な説明】
【０１０４】
【図１】本発明による電子カレンダ装置の実施形態を示した説明図
【図２】本実施形態の装置構成を示したブロック図
【図３】本実施形態のリーダライタとカードのＲＦタグの回路構成を示したブロック図
【図４】図２のカード入力データベースを示した説明図
【図５】図２のスケジュールデータベースを示した説明図
【図６】本実施形態における通常時のスケジュールなし画面とスケジュール画面を示した説明図
【図７】本実施形態の手書きスケジュール登録における画面遷移を示した説明図
【図８】図７に続く手書きスケジュール登録の画面遷移を示した説明図
【図９】本実施形態のメニュー選択スケジュール登録における画面遷移を示した説明図
【図１０】図９に続くメニュー選択スケジュール登録の画面遷移を示した説明図
【図１１】図１０に続くメニュー選択スケジュール登録の画面遷移を示した説明図
【図１２】本実施形態のカード選択スケジュール登録における画面遷移を示した説明図
【図１３】図１２に続くカード択スケジュール登録の画面遷移を示した説明図
【図１４】図１３に続くカード選択スケジュール登録の画面遷移を示した説明図
【図１５】本実施形態のカレンダから選択するスケジュール確認の画面遷移を示した説明図
【図１６】図１５に続くスケジュール確認の画面遷移を示した説明図
【図１７】本実施形態のカードから選択するスケジュール確認の画面遷移を示した説明図
【図１８】図１７に続くスケジュール確認の画面遷移を示した説明図
【図１９】本実施形態における電子カレンダ装置の処理手順を示したフローチャート
【図２０】図１９のステップＳ６における手書き登録処理の詳細を示したフローチャート
【図２１】図１９のステップＳ８におけるメニュー選択処理の詳細を示したフローチャート
【図２２】図１９のステップＳ１０におけるカード選択登録処理の詳細を示したフローチャート
【符号の説明】
【０１０５】
１０：電子カレンダ装置
１１：処理ユニット
１２：電子ペーパーパネル
１４：カレンダ表示領域
１６：日付表示部
１８：スケジュール表示部
２０：画像表示領域
２１：年月表示
２２：表示兼登録操作部
２２−１：イベント表示部
２２−２：手書き入力部
２４：操作部
２６：電源スイッチ
２８：上選択スイッチ
３０：下選択スイッチ
３２：決定スイッチ
３４：リーダライタ
３５：外部インタフェース
３６：カード
３７：移報入力部
３８：ＲＦタグ
４０：制御部
４２：管理用データベース
４４：カレンダデータベース
４６：カード入力データベース
５０：スケジュールデータベース
５２：手書きスケジュール登録部
５４：メニュー選択スケジュール登録部
５６：カード選択スケジュール登録部
６０：スケジュール管理部
６２：スケジュール確認部
６４，７０：制御部
６５，７２：送信部
６６，７４：受信部
６８，７８：アンテナ
７６：電源部
８０：メモリ
８６：メインメニュー画面
８８：登録メニュー画面
９０，１０２，１４２：日付登録画面
９４：手書き登録画面
９８，１３６，１６２：登録完了画面
１００：スケジュール選択画面
１０６，１４６：時間登録画面
１１２，１５４：確認画面
１３８：カード登録画面
１４０：カード読取画面
１６４：確認メニュー画面
１７０，１８８：スケジュール確認画面
１８６：カード確認画面
【図１】
2008269211.tif 000003
【図２】
2008269211.tif 000004
【図３】
2008269211.tif 000005
【図４】
2008269211.tif 000006
【図５】
2008269211.tif 000007
【図６】
2008269211.tif 000008
【図７】
2008269211.tif 000009
【図８】
2008269211.tif 000010
【図９】
2008269211.tif 000011
【図１０】
2008269211.tif 000012
【図１１】
2008269211.tif 000013
【図１２】
2008269211.tif 000014
【図１３】
2008269211.tif 000015
【図１４】
2008269211.tif 000016
【図１５】
2008269211.tif 000017
【図１６】
2008269211.tif 000018
【図１７】
2008269211.tif 000019
【図１８】
2008269211.tif 000020
【図１９】
2008269211.tif 000021
【図２０】
2008269211.tif 000022
【図２１】
2008269211.tif 000023
【図２２】
2008269211.tif 000024